(57)【要約】【課題】ネットワークに異常が生じた場合、その異常を速やかに検知し、速やかに調査することができる通信システムを提供する。【解決手段】ネットワークＮＷに接続された複数の基地局ＢＳと、複数の基地局とネットワークＮＷを介して接続され、複数の基地局ＢＳを管理する上位装置１００とを備え、複数の基地局ＢＳのそれぞれは、無線信号を送受信する無線通信部１と、ネットワークＮＷとの間で有線通信を行う有線通信部４と、無線通信部１および有線通信部４を制御するとともに、正常時には定期的に稼働状況レポートを作成し、ネットワークＮＷを介して上位装置１００に通知する制御部３とを有している。制御部３は、上位装置１００に稼働状況レポートが届かないことで自機とネットワークＮＷとの間に異常が発生したことを検知した場合は、隣接基地局ＢＳＮをサーチし、隣接基地局ＢＳＮからネットワークＮＷを介して上位装置１００に障害情報を送信する。【選択図】図１
2013048337.tif 000002
【特許請求の範囲】
【請求項１】
ネットワークに接続された複数の基地局と、
前記複数の基地局と前記ネットワークを介して接続され、前記複数の基地局を管理する上位装置と、を備えた通信システムであって、
前記複数の基地局のそれぞれは、
無線信号を送受信する無線通信部と、
前記ネットワークとの間で有線通信を行う有線通信部と、
前記無線通信部および前記有線通信部を制御するとともに、正常時には定期的に稼働状況レポートを作成し、前記ネットワークを介して前記上位装置に通知するように前記有線通信部を制御する制御部と、を有し、
前記制御部は、
前記上位装置に前記稼働状況レポートが届かないことで自機と前記ネットワークとの間に異常が発生したことを検知した場合は、前記無線通信部を制御して自機を通信端末として動作させ、隣接基地局をサーチし、前記隣接基地局に無線接続し、前記隣接基地局から前記ネットワークを介して前記上位装置に障害情報を送信することを特徴とする、通信システム。
【請求項２】
前記通信システムは、
前記ネットワークに接続され、前記複数の基地局のうち障害の発生した基地局を調査する調査装置を備え、
前記調査装置は、
前記ネットワークとの間で有線通信を行う有線通信部と、
前記有線通信部を制御するとともに、障害解析を実行する制御部と、を備え、
前記制御部は、
前記障害情報を受けた前記上位装置からの調査指示を受けた場合は、前記有線通信部を制御して、前記隣接基地局に前記ネットワークを介して接続し、前記隣接基地局を介して前記障害情報を送信した故障基地局と無線通信を行い、所定のコマンドに応答して前記故障基地局から得られる情報に基づいて障害解析を実行する、請求項１記載の通信システム。
【請求項３】
ネットワークに接続された複数の基地局と、
前記複数の基地局と前記ネットワークを介して接続され、前記複数の基地局を管理する上位装置と、
前記複数の基地局のうち障害の発生した基地局を調査する調査装置と、を備えた通信システムであって、
前記複数の基地局のそれぞれは、
無線信号を送受信する無線通信部と、
前記ネットワークとの間で有線通信を行う有線通信部と、
前記無線通信部および前記有線通信部を制御するとともに、正常時には定期的に稼働状況レポートを作成し、前記ネットワークを介して前記上位装置に通知するように前記有線通信部を制御する制御部と、を有し、
前記制御部は、
前記上位装置に前記稼働状況レポートが届かないことで自機と前記ネットワークとの間に異常が発生したことを検知した場合は、前記無線通信部を制御して自機を通信端末として動作させ、
前記上位装置は、
前記稼働状況レポートを送って来ない故障基地局が出現した場合は、前記故障基地局と前記ネットワークに異常が発生したものと判断し、前記調査装置に調査を指示することを特徴とする、通信システム。
【請求項４】
前記調査装置は、
前記複数の基地局との間で無線通信を行う無線通信部と、
前記無線通信部を制御するとともに、障害解析を実行する制御部と、を備え、
前記制御部は、
前記調査指示を受けた場合は、前記無線通信部を制御して前記故障基地局と無線通信を行い、所定のコマンドに応答して前記故障基地局から得られる情報に基づいて障害解析を実行する、請求項３記載の通信システム。
【請求項５】
ネットワークに接続された複数の基地局と、
前記複数の基地局と前記ネットワークを介して接続され、前記複数の基地局を管理する上位装置と、を備えた通信システムにおける通信制御方法であって、
前記複数の基地局のそれぞれは、
正常時には定期的に稼働状況レポートを作成し、前記ネットワークを介して前記上位装置に通知する機能を有し、
前記上位装置に前記稼働状況レポートが届かないことで自機と前記ネットワークとの間に異常が発生したことを検知した基地局は、
(ａ)自機を通信端末として動作させ、隣接基地局をサーチするステップと、
(ｂ)前記隣接基地局に無線接続するステップと、
(ｃ)前記隣接基地局から前記ネットワークを介して前記上位装置に障害情報を送信するステップとを行うことを特徴とする、通信制御方法。
【発明の詳細な説明】
【技術分野】
【０００１】
本発明は、通信システムおよび通信制御方法に関し、特に、ネットワークを介して上位装置と下位装置とがデータの授受を行う通信システムおよび通信制御方法に関する。
【背景技術】
【０００２】
ＰＨＳ（Personal Handyphone System）などの通信システムでは、一般的に、基地局がＩＳＤＮ回線や光回線等の専用回線で構築される事業者網（ネットワークと呼称する場合あり）を介して、管理装置などの上位装置と接続されており、基地局は自機の状態に異常がないかを常時チェックして、異常検知時は事業者網を介して上位装置に異常レポートを送信するように構成されている。上位装置は、異常レポートを受信することで基地局の異常を検知することができる。このような構成は、例えば特許文献１に開示されている。
【０００３】
上記のように、上位装置は、事業者網を介して基地局の異常の有無を確認しているが、事業者網に異常が生じて上位装置と基地局との間で通信ができなくなった場合、基地局は自機の異常を検知しても上位装置に異常レポートを送信することができず、上位装置では、異常がないので異常レポートが来ないのか、事業者網の異常で異常レポートが来ないのかが判断できない。
【０００４】
一方、基地局は正常時に、定期的に上位装置に対して稼働状況レポートを送信しており、事業者網に異常が生じた場合は、この稼働状況レポートも送信できなくなる。このため、上位装置では、基地局が定期的に送信するはずの稼働状況レポートが受信されないことから、事業者網に異常が生じたと判断することができる。
【０００５】
事業者網が正常で、異常レポートが送信された場合、システムを管理する事業者は調査装置（リモートログイン端末）を事業者網に接続し、事業者網経由で異常が発生した基地局に接続し、基地局の状態を調査する。
【０００６】
一方、事業者網に異常が生じた場合は、事業者網経由で異常が発生した基地局に接続することができない。この場合は、異常が発生した基地局の設置場所に調査者が赴き、調査装置（ログイン端末）を基地局にケーブルを介して直接に接続し、基地局の状態を調査することとなる。
【先行技術文献】
【特許文献】
【０００７】
【特許文献１】特開２００９−７１４２８号公報
【発明の概要】
【発明が解決しようとする課題】
【０００８】
以上説明したように、事業者網に異常が生じた場合、異常レポートも稼働状況レポートも送信することができない基地局に対しては、その設置場所にて現地調査する必要がある。しかし、一般に、基地局は、ビルの屋上や鉄塔など、容易に調査装置のケーブルを直接接続することが困難な場所に設置されていることが多く、調査に時間がかかる場合があった。
【０００９】
また、事業者網に異常が生じた場合、上位装置では、基地局から送信される定期的な稼働状況レポートが受信できないことに基づいて異常を検知する。そのため上位装置は、稼働状況レポート送信直後に異常が発生したような場合は、レポート送信間隔（例えば１日）分だけ異常発見が遅れ、当該基地局の通信エリア内の通信端末が長時間に渡って使えないこととなる。
【００１０】
本発明は上記のような問題点を解消するためになされたもので、事業者網等のネットワークに異常が生じた場合、その異常を速やかに検知し、速やかに調査することができる通信システムを提供することを目的とする。
【課題を解決するための手段】
【００１１】
上記課題を解決するため、本発明に係る通信システムは、ネットワークに接続された複数の基地局と、前記複数の基地局と前記ネットワークを介して接続され、前記複数の基地局を管理する上位装置とを備えた通信システムであって、前記複数の基地局のそれぞれは、無線信号を送受信する無線通信部と、前記ネットワークとの間で有線通信を行う有線通信部と、前記無線通信部および前記有線通信部を制御するとともに、正常時には定期的に稼働状況レポートを作成し、前記ネットワークを介して前記上位装置に通知するように前記有線通信部を制御する制御部とを有し、前記制御部は、前記上位装置に前記稼働状況レポートが届かないことで自機と前記ネットワークとの間に異常が発生したことを検知した場合は、前記無線通信部を制御して自機を通信端末として動作させ、隣接基地局をサーチし、前記隣接基地局に無線接続し、前記隣接基地局から前記ネットワークを介して前記上位装置に障害情報を送信する。
【００１２】
本発明に係る通信システムの一態様は、前記通信システムが、前記ネットワークに接続され、前記複数の基地局のうち障害の発生した基地局を調査する調査装置を備え、前記調査装置は、前記ネットワークとの間で有線通信を行う有線通信部と、前記有線通信部を制御するとともに、障害解析を実行する制御部とを備え、前記制御部は、前記障害情報を受けた前記上位装置からの調査指示を受けた場合は、前記有線通信部を制御して、前記隣接基地局に前記ネットワークを介して接続し、前記隣接基地局を介して前記障害情報を送信した故障基地局と無線通信を行い、所定のコマンドに応答して前記故障基地局から得られる情報に基づいて障害解析を実行する。
【００１３】
本発明に係る通信システムの一態様は、ネットワークに接続された複数の基地局と、前記複数の基地局と前記ネットワークを介して接続され、前記複数の基地局を管理する上位装置と、前記複数の基地局のうち障害の発生した基地局を調査する調査装置とを備えた通信システムであって、前記複数の基地局のそれぞれは、無線信号を送受信する無線通信部と、前記ネットワークとの間で有線通信を行う有線通信部と、前記無線通信部および前記有線通信部を制御するとともに、正常時には定期的に稼働状況レポートを作成し、前記ネットワークを介して前記上位装置に通知するように前記有線通信部を制御する制御部とを有し、前記制御部は、前記上位装置に前記稼働状況レポートが届かないことで自機と前記ネットワークとの間に異常が発生したことを検知した場合は、前記無線通信部を制御して自機を通信端末として動作させ、前記上位装置は、前記稼働状況レポートを送って来ない故障基地局が出現した場合は、前記故障基地局と前記ネットワークに異常が発生したものと判断し、前記調査装置に調査を指示する。
【００１４】
本発明に係る通信システムの一態様は、前記調査装置が、前記複数の基地局との間で無線通信を行う無線通信部と、前記無線通信部を制御するとともに、障害解析を実行する制御部とを備え、前記制御部は、前記調査指示を受けた場合は、前記無線通信部を制御して前記故障基地局と無線通信を行い、所定のコマンドに応答して前記故障基地局から得られる情報に基づいて障害解析を実行する。
【００１５】
本発明に係る通信制御方法は、ネットワークに接続された複数の基地局と、前記複数の基地局と前記ネットワークを介して接続され、前記複数の基地局を管理する上位装置とを備えた通信システムにおける通信制御方法であって、前記複数の基地局のそれぞれは、正常時には定期的に稼働状況レポートを作成し、前記ネットワークを介して前記上位装置に通知する機能を有し、前記上位装置に前記稼働状況レポートが届かないことで自機と前記ネットワークとの間に異常が発生したことを検知した基地局は、(ａ)自機を通信端末として動作させ、隣接基地局をサーチするステップと、(ｂ)前記隣接基地局に無線接続するステップと、(ｃ)前記隣接基地局から前記ネットワークを介して前記上位装置に障害情報を送信するステップとを行う。
【発明の効果】
【００１６】
本発明に係る通信システムによれば、基地局の制御部が、自機と前記ネットワークとの間に異常が発生したことを検知した場合は、無線通信部を制御して自機を通信端末として動作させ、隣接基地局をサーチし、隣接基地局に無線接続し、隣接基地局からネットワークを介して上位装置に障害情報を送信するので、ネットワークに異常が生じた場合、その異常を速やかに検知することができ、速やかに調査することが可能となる。
【００１７】
本発明に係る通信制御方法によれば、上位装置に稼働状況レポートが届かないことで自機とネットワークとの間に異常が発生したことを検知した基地局は、自機を通信端末として動作させ、隣接基地局をサーチし、隣接基地局に無線接続し、隣接基地局からネットワークを介して上位装置に障害情報を送信するので、ネットワークに異常が生じた場合、その異常を速やかに検知することができ、速やかに調査することが可能となる。
【図面の簡単な説明】
【００１８】
【図１】本発明に係る実施の形態１の通信システムの構成例を示す図である。
【図２】本発明に係る実施の形態１の通信システムの他の構成例を示す図である。
【図３】基地局の構成を示すブロック図である。
【図４】障害検出動作を説明するフローチャートである。
【図５】無線保守モード処理を説明するフローチャートである。
【図６】障害解析処理を説明するフローチャートである。
【図７】障害解析処理を説明するフローチャートである。
【図８】本発明に係る実施の形態２の通信システムの構成例を示す図である。
【図９】障害検出動作を説明するフローチャートである。
【発明を実施するための形態】
【００１９】
＜実施の形態１＞
＜通信システムの構成および概略動作＞
図１は、本発明に係る実施の形態１の通信システム１０００の構成を示す図である。図１に示す通信システム１０００は、複数の基地局ＢＳＸ、ＢＳＮ、事業者網ＮＷ、基地局の管理装置などの上位装置１００、調査装置（リモートログイン端末）２００を有している。なお、本実施の形態では、網（ネットワーク）として事業者の専用回線である事業者網ＮＷを用いて説明するが、事業者網ＮＷの代わりに、インターネットなどの公衆網を用いる場合にも適用可能である。
【００２０】
複数の基地局ＢＳＸ、ＢＳＮは、事業者網ＮＷに接続され、事業者網ＮＷを介して上位装置１００との間で信号の授受を行う。
【００２１】
また、各基地局は無線通信により通信端末（図示せず）との間で通信を行い、通信端末からの受信データは、事業者網ＮＷおよび上位装置１００を介して指定された他の基地局に送信し、また、他の基地局から事業者網ＮＷおよび上位装置１００を介して送信されて来た受信データは、指定の通信端末に無線送信する。
【００２２】
ここで、基地局ＢＳＸは、事業者網ＮＷとの接続に不具合があり基地局ＢＳＸから送信される稼働状況レポートも異常レポートも、上位装置１００には届かない状態となっており、故障基地局と呼称する。また、基地局ＢＳＮは故障基地局ＢＳＸに隣接する基地局であり、隣接基地局と呼称する。
【００２３】
各基地局は自機の状態に異常がないかを常時チェックしており、異常検知時は事業者網を介して上位装置１００に異常レポートを送信する。上位装置１００は、異常レポートを受信することで基地局の異常を検知する。
【００２４】
また、各基地局は正常時に、定期的に上位装置１００に対して稼働状況レポートを送信している。上位装置１００は、基地局が定期的に送信するはずの稼働状況レポートが受信されない場合には、事業者網ＮＷの異常に起因する故障基地局が出現したものと判断する。
【００２５】
上位装置１００が事業者網ＮＷの異常に起因する故障基地局ＢＳＸが出現したものと判断した場合、システムを管理する事業者は、調査装置２００を事業者網ＮＷに接続するなどして、故障基地局ＢＳＸの障害解析の準備に入る。
【００２６】
一方、故障基地局ＢＳＸでも、送信した稼働状況レポートに対して上位装置１００から受信完了報告などの応答を受け取ることができない場合は、事業者網ＮＷの異常が発生したものと判断し、隣接基地局ＢＳＮとの無線通信を実行する。そして、隣接基地局ＢＳＮから事業者網ＮＷを介して上位装置１００に障害情報を送信する。
【００２７】
故障基地局ＢＳＸから障害情報を受けた上位装置１００は、調査装置２００に対して故障基地局ＢＳＸにアクセスし、基地局の状態を調査して障害解析を実行するように指示する。
【００２８】
このように、本発明に係る通信システム１０００においては、事業者網ＮＷの異常に起因する故障基地局ＢＳＸが出現した場合、故障基地局ＢＳＸに隣接する隣接基地局ＢＳＮを介して調査装置２００が故障基地局ＢＳＸに接続し、障害解析を実行する。これにより、故障基地局ＢＳＸが、容易に調査装置２００のケーブルを直接接続することが困難な場所に設置されている場合でも、速やかに調査することができる。
【００２９】
また、事業者網ＮＷの異常に起因する故障基地局ＢＳＸの出現は、上位装置１００で検知されるだけでなく、故障基地局ＢＳＸ自身でも検知して上位装置１００に通知するので、例えば、送信した稼働状況レポートに対して上位装置１００から受信完了報告を受け取るタイミングを、稼働状況レポートの送信間隔の中間あたりに設定しておけば、稼働状況レポート送信直後に異常が発生したような場合でも、レポート送信間隔の半分の時間で異常を発見することができ、故障基地局ＢＳＸの通信エリア内の通信端末が長時間に渡って使えなくなることを防止できる。
【００３０】
なお、図１に示した通信システム１０００では、調査装置２００を事業者網ＮＷに接続する構成であったが、図２に示す通信システム１０００Ａのように、調査装置２００の無線通信機能を用いて基地局ＢＳと通信し、基地局ＢＳを介して事業者網ＮＷに接続する構成としても良い。
【００３１】
この場合、基地局ＢＳは故障基地局ＢＳＸ以外であればどの基地局であっても良く、調査装置２００は基地局ＢＳと通信できる場所であればどこにあっても良いので、利便性が増すこととなる。
【００３２】
なお、調査装置２００は、無線通信部および有線通信部を有し、無線および有線でネットワーク接続できる市販のパーソナルコンピュータ程度の機能を有していれば良く、例えば、Ｗｉｎｄｏｗｓ（登録商標）付属のハイパーターミナルなどのターミナルエミュレータを使用して、事業者網ＮＷ経由で故障基地局ＢＳＸを遠隔操作することができる。
【００３３】
また、障害解析のためのソフトウェアをＣＰＵで実行し、ターミナルエミュレータを用いて、故障基地局ＢＳＸを遠隔操作することで解析者が障害解析を行う。
【００３４】
＜基地局の構成＞
ここで、図３を用いて基地局ＢＳの構成を説明する。図３は、基地局ＢＳの構成を示すブロック図であるが、図３においては、発明に係る構成についてのみ示しており、他の構成は省略している。
【００３５】
図３に示すように、基地局ＢＳは、送受信アンテナＡＴが接続され、正常時は通信端末との無線通信を行い、異常時には他の基地局との無線通信を行う無線通信部１と、無線通信を制御する無線制御部２と、基地局ＢＳ全体の制御を行うとともに、正常時は定期的に稼働状況レポートを作成し、異常時は異常レポートを作成する中央制御部３と、事業者網との間で有線通信を行う有線通信部４とを備えている。
【００３６】
基地局ＢＳにおいて、送受信アンテナＡＴで受信した受信信号は無線通信部１の受信部（図示せず）に入力され、増幅処理やダウンコンバートを行って、ベースバンド信号に変換して出力される。なお、送受信アンテナＡＴで受信される信号は、ＢＰＳＫ（Binary Phase Shift Keying）変調方式やＱＰＳＫ（Quadrature Phase Shift Keying）変調方式などで変調されている。
【００３７】
また、無線通信部１は、ＢＰＳＫ変調方式やＱＰＳＫ変調方式などで変調された無線信号を送出する。なお、無線通信部１での受送信制御や、有線通信部４での受送信制御など、基地局ＢＳの各部の制御はＣＰＵ（Central Processing Unit）等で構成される中央制御部３が行う。
【００３８】
なお、中央制御部３は、基地局ＢＳ内の各部の動作状態を診断する診断部３１を有しているが、診断部３１は、図示されない記憶部に格納された診断プログラムを中央制御部３で実行することで実現される。
【００３９】
＜障害検出動作＞
次に、図４に示すフローチャートを用いて、図１に示す通信システム１０００における障害検出動作について説明する。
【００４０】
通信システム１０００を構成する各基地局においては、自機の状態に異常がないかを、例えば診断部３１（図３）において常時チェックしており、異常を検知した場合は事業者網ＮＷを介して上位装置１００に異常レポートを送信している。
【００４１】
診断部３１で検知される異常としては、例えば主電源の供給が遮断され、内蔵バッテリに切り替えられた状態や、無線通信部１（図３）の故障により、送信電力や受信電力が異常となった状態が考えられる。
【００４２】
また、各基地局は、定期的に上位装置１００に対して稼働状況レポートを送信しており、それを受けた上位装置１００は、受信完了報告などの応答を各基地局に送信している。稼働状況レポートを送信した基地局は、送信してから所定期間内に上位装置１００から応答がない場合には、事業者網ＮＷの異常が発生したものと判断する。
【００４３】
事業者網ＮＷの異常としては、基地局と事業者網ＮＷとを接続するＬＡＮケーブルなどの通信ケーブルの断線や、中継装置の不具合などが考えられる。
【００４４】
図４に示す障害検出動作は、基地局での検出動作であり、ステップＳ１においては、基地局自身での異常だけでなく事業者網ＮＷの異常についても障害として検出し、何らかの障害が検出された場合は、事業者網ＮＷとの接続異常であるか否かを判断する（ステップＳ２）。
【００４５】
そして、事業者網ＮＷとの接続異常である場合は、ステップＳ３に進んで、無線保守モード処理を実行するが、事業者網ＮＷとの接続異常でない場合は障害検出動作を終了する。この場合、事業者網ＮＷを介して調査装置２００に接続することで障害解析を行うこととなる。
【００４６】
＜無線保守モード処理＞
次に、図５に示すフローチャートを用いて、無線保守モード処理について説明する。検出された障害が事業者網ＮＷとの接続異常である場合は、故障基地局ＢＳＸは、事業者網ＮＷを介して調査装置２００に接続することができない。
【００４７】
そこで、故障基地局ＢＳＸは、通信端末としての動作を開始し、まず隣接基地局のサーチを行う（ステップＳ１１）。この動作は通信端末における隣接基地局の動作と同じであり、周辺の基地局からそれぞれの制御チャネルを受信し、制御チャネルの受信電力が最大となる基地局を隣接基地局ＢＳＮとして捕捉する動作である。
【００４８】
ここで、隣接基地局ＢＳＮを捕捉できない場合（ステップＳ１２）、すなわち、周辺に基地局が存在しないような場合は、無線による保守はできないので無線保守モード処理を終了する。なお、無線による保守ができない場合でも、上位装置１００は事業者網ＮＷの異常に起因する故障基地局ＢＳＸの出現を検知しているので、その旨をシステムを管理する事業者に通知し、それを受けた事業者は、故障基地局ＢＳＸの接地場所に調査者を派遣し、障害解析を実行するので問題は生じない。
【００４９】
一方、隣接基地局のサーチの結果、隣接基地局ＢＳＮを捕捉できた場合（ステップＳ１２）、隣接基地局ＢＳＮへの発呼を行う（ステップＳ１３）。この場合、故障基地局ＢＳＸは通信端末として動作するので、隣接基地局ＢＳＮへの発呼に際しては端末ＩＤ（ＰＳＩＤ）を有している必要がある。そこで、基地局には通信端末として機能する場合に使用する端末ＩＤを予め付与しておくことが考えられるが、基地局を通信端末として識別できる情報であれば良い。
【００５０】
隣接基地局ＢＳＮへの発呼により隣接基地局ＢＳＮに接続できた場合は（ステップＳ１４）、隣接基地局ＢＳＮから事業者網ＮＷを介して上位装置１００に、検出した障害情報を送信する（ステップＳ１５）。
【００５１】
障害情報の送信に際しては通常のレポートデータの送信時のプロトコルを利用し、新たに設定したエラーコードを用いても良いし、シーケンス数が少なくなるように設定した新たなプロトコルを利用しても良い。
【００５２】
一方、ステップＳ１４で、隣接基地局ＢＳＮに接続できない場合は、ステップＳ１２以下の動作を繰り返し、隣接基地局ＢＳＮへの接続を試みる。
【００５３】
故障基地局ＢＳＸが送信する障害情報を受けた上位装置１００は、調査装置２００に対して故障基地局ＢＳＸにアクセスし、基地局の状態を調査して障害解析を実行するように指示する。
【００５４】
＜障害解析処理＞
次に、図６および図７に示すフローチャートを用いて、障害解析処理について説明する。図６は、障害解析処理と、その後の故障基地局ＢＳＸでの動作を示しており、図５を用いて説明したステップＳ１５で、障害情報を受けた上位装置１００が調査装置２００に対して障害解析を実行するように指示すると、上位装置１００は、一旦、故障基地局ＢＳＸとの通信を切断する。
【００５５】
そして、代わりに、調査装置２００が故障基地局ＢＳＸと通信するために、隣接基地局ＢＳＮから呼出を行う。
【００５６】
隣接基地局ＢＳＮからの呼出を受けた故障基地局ＢＳＸは、隣接基地局ＢＳＮを介して調査装置２００と通信し、所定のコマンドを受け取ることで障害解析処理（詳細は後に説明）を実行する（ステップＳ２１）。
【００５７】
障害解析処理を終了した後は、隣接基地局ＢＳＮとの通信を切断し、異常が解消されているか否かを確認する（ステップＳ２２）。この場合の異常は、事業者網ＮＷとの接続異常であるので、異常が解消されているか否かの判断は、例えば、事業者網ＮＷを介して正常に通信データが受信できているかで判断すれば良い。
【００５８】
そして、異常が解消されている場合は、通信端末として機能する場合に使用する端末ＩＤの使用を止め、基地局として機能する場合に使用する基地局ＩＤ（ＣＳＩＤ）に切り替えるなどして、通常の基地局としての運用を開始する（ステップＳ２３）。
【００５９】
一方、ステップＳ２２で異常が解消されていないと判断された場合は、再びステップＳ２１の処理を行うために隣接基地局ＢＳＮからの呼出を待つ（ステップＳ２４）。すなわち、故障基地局ＢＳＸの異常が解消されて通常の基地局としての運用が開始されないと、上位装置１００に対して稼働状況レポートが送信されないので、上位装置１００は、故障基地局ＢＳＸの異常が解消されていないことを検知する。その場合、上位装置１００は、調査装置２００に対して障害解析を実行するように再び指示を与える。これを受けた調査装置２００は、故障基地局ＢＳＸと通信するために、隣接基地局ＢＳＮから呼出を行う。
【００６０】
ステップＳ２４は、隣接基地局ＢＳＮからの再度の着呼を待つステップであり、再び、隣接基地局ＢＳＮからの呼出を受けた故障基地局ＢＳＸは、隣接基地局ＢＳＮを介して調査装置２００と通信し、所定のコマンドを受け取って障害解析処理（ステップＳ２１）を再び実行する。
【００６１】
次に、図７に示すフローチャートを用いて、障害解析処理についてさらに説明する。隣接基地局ＢＳＮからの呼出を受けた故障基地局ＢＳＸは、隣接基地局ＢＳＮを介して調査装置２００からコマンドの受信を待つ（ステップＳ３１）。このコマンドは、調査装置２００を操作する解析者が調査装置２００のキーボード等の入力装置から入力する、基地局に自己診断をさせるコマンドや、障害が発生する直前の内部状態を出力させるコマンドである。
【００６２】
これらのコマンドを受信した故障基地局ＢＳＸの中央制御部３は、診断部３１の機能により自己診断を行ったり、メモリに記憶された障害が発生する直前の内部状態を出力するなどしてコマンドを実行する（ステップＳ３２）。
【００６３】
一方、調査装置２００からコマンドの受信を待ってもコマンドを受信できずに所定の時間が経過すると（ステップＳ３４）、故障基地局ＢＳＸは、予め設定したタイマの動作により、障害解析処理を終了する。
【００６４】
障害解析処理を終了すると隣接基地局ＢＳＮとの通信が切断され、隣接基地局ＢＳＮの無線接続が開放される。
【００６５】
このように、タイマの動作により、障害解析処理を強制的に終了するのは、長期間に渡って隣接基地局ＢＳＮとの無線接続が維持されることを防止するための措置である。
【００６６】
ステップＳ３２でコマンドを実行し、基地局の自己診断結果や障害が発生する直前の内部状態を出力させた後は、調査装置２００を操作する解析者は、その情報に基づいて障害解析を実行し、どのような障害がどこで起きているかを解析する（ステップＳ３３）。なお、コマンド実行は、各コマンドが与えられるごとに実行され、障害解析が終了した場合は、解析終了コマンドを故障基地局ＳＢＸに与えて障害解析処理を終了する。
【００６７】
障害解析の結果、障害の種類および発生場所が特定できた場合、遠隔操作で解消できる場合は遠隔操作を行い、そうでない場合は、発生場所に作業者が赴いて障害の解消を図ることとなる。
【００６８】
＜実施の形態２＞
＜通信システムの構成および概略動作＞
図８は、本発明に係る実施の形態２の通信システム２０００の構成を示す図である。図８に示す通信システム２０００は、故障基地局ＢＳＸを含む複数の基地局（図示せず）、事業者網ＮＷ、基地局の管理装置などの上位装置１００、調査装置（ログイン端末）２００Ａを有している。
【００６９】
ここで、故障基地局ＢＳＸは、事業者網ＮＷとの接続に不具合があり基地局ＢＳＸから送信される稼働状況レポートも異常レポートも、上位装置１００には届かない状態となっている。
【００７０】
各基地局は自機の状態に異常がないかを常時チェックしており、異常検知時は事業者網を介して上位装置１００に異常レポートを送信する。上位装置１００は、異常レポートを受信することで基地局の異常を検知する。
【００７１】
また、各基地局は正常時に、定期的に上位装置１００に対して稼働状況レポートを送信している。上位装置１００は、基地局が定期的に送信するはずの稼働状況レポートが受信されない場合には、事業者網ＮＷの異常に起因する故障基地局が出現したものと判断する。
【００７２】
上位装置１００が事業者網ＮＷの異常に起因する故障基地局ＢＳＸが出現したものと判断した場合、その旨をシステムを管理する事業者は、調査装置２００Ａを故障基地局ＢＳＸの無線通信エリア内に配置して故障基地局ＢＳＸの障害解析の準備に入る。
【００７３】
調査装置２００Ａは、実施の形態１において説明した調査装置２００と構成的には同じであり、無線および有線でネットワーク接続できる市販のパーソナルコンピュータ程度の機能を有していれば良いが、調査装置２００Ａは、ソフトウェアとして、基地局動作を行うことが可能なプログラムを搭載している。
【００７４】
なお、調査装置２００Ａは、図３に示した基地局ＢＳと同様に、送受信アンテナＡＴや無線通信部１、無線制御部２などを有し、パーソナルコンピュータのＣＰＵを中央制御部３として使用する。また、ＬＡＮポートなどを介して事業者網との間で有線通信を行うことも可能である。
【００７５】
このため、調査装置２００Ａを故障基地局ＢＳＸの無線通信エリア内に配置することで、調査装置２００Ａを基地局として動作させることが可能となり、故障基地局ＢＳＸの間で無線通信を介して障害解析を実行することができる。
【００７６】
このように、本発明に係る通信システム１０００Ａにおいては、事業者網ＮＷの異常に起因する故障基地局ＢＳＸが出現した場合、調査装置２００Ａを故障基地局ＢＳＸの無線通信エリア内に配置し、基地局として動作させることで無線通信を介して障害解析を実行するので、故障基地局ＢＳＸが、容易に調査装置２００Ａのケーブルを直接接続することが困難な場所に設置されている場合でも、速やかに調査することができる。また、隣接基地局が存在しないような場合に、本システムは有効である。
【００７７】
＜障害検出動作＞
次に、図９に示すフローチャートを用いて、図８に示す通信システム２０００における障害検出動作について説明する。
【００７８】
通信システム２０００を構成する各基地局においては、自機の状態に異常がないかを、例えば診断部３１（図３）において常時チェックしており、異常を検知した場合は事業者網ＮＷを介して上位装置１００に異常レポートを送信している。
【００７９】
また、各基地局は、定期的に上位装置１００に対して稼働状況レポートを送信しており、上位装置１００は、基地局が定期的に送信するはずの稼働状況レポートが受信されない場合には、事業者網ＮＷの異常に起因する故障基地局が出現したものと判断する。
【００８０】
図９に示す障害検出動作は、上位装置１００での検出動作であり、ステップＳ４１においては、異常レポートおよび稼働状況レポートに基づいて障害を検出し、何らかの障害が検出された場合は、事業者網ＮＷとの接続異常であるか否かを判断する（ステップＳ４２）。
【００８１】
そして、事業者網ＮＷとの接続異常である場合は、ステップＳ４３に進んで、故障基地局の特定を行う（ステップＳ５３）。これは、稼働状況レポートが届かない基地局のＩＤ（識別番号）を調べることで行う。
【００８２】
故障基地局が判明すると、上位装置１００は故障基地局ＢＳＸが出現した旨を認識したシステムを管理する事業者は、その情報を調査装置２００Ａに通知する（ステップＳ４４）。
【００８３】
調査装置２００Ａは、ノート型のパーソナルコンピュータ等であれば解析者が携行して、また、デスクトップ型のパーソナルコンピュータ等であれば車両等に搭載して故障基地局ＢＳＸの無線通信エリア内に赴き、無線通信により故障基地局ＢＳＸと通信して障害解析を行うこととなる。
【００８４】
＜障害解析処理＞
障害解析処理については、図６および図７を用いて説明した通信システム１０００と基本的には同じであるが、隣接基地局の代わりに調査装置２００Ａを基地局として使用する点が異なっているだけなので、図６および図７を援用して障害解析処理について説明する。
【００８５】
図９を用いて説明したステップＳ４４で、上位装置１００が調査装置２００Ａに対して故障基地局ＢＳＸが出現した情報を通知し、調査装置２００Ａが故障基地局ＢＳＸの無線通信エリア内に配置されて図６における障害解析処理（詳細は後に説明）を実行する（ステップＳ２１）。
【００８６】
調査装置２００Ａは故障基地局ＢＳＸと通信するために、発呼を行う。調査装置２００Ａからの呼出を受けた故障基地局ＢＳＸは、調査装置２００Ａと通信し、所定のコマンドを受け取り、障害解析処理を実行する。
【００８７】
なお、調査装置２００Ａが基地局として動作する場合、調査装置２００Ａが送受信する制御チャネルは、通常の制御チャネル（ＣＣＨ）を用いることも可能であるが、専用の制御チャネルを用いることも可能である。この場合、何らかの障害が発生し、調査装置２００Ａと通信を行う場合は専用の制御チャネルを用いる。例えば、通常の制御チャネルが１６進数で４Ｄ（Ｈ）であるなら、専用の制御チャネルは３Ｃ（Ｈ）とするなど、異なった値を使用する。
【００８８】
なお、先に説明したように、事業者網ＮＷとの接続異常が起きていることは故障基地局ＢＳＸでも検知しているので、この場合、故障基地局ＢＳＸは通信端末として動作する。従って、調査装置２００Ａとの通信においては、予め付与された端末ＩＤ（ＰＳＩＤ）を使用する。
【００８９】
障害解析処理を終了した後は、調査装置２００Ａとの通信を切断し、異常が解消されているか否かを確認する（ステップＳ２２）。この場合の異常は、事業者網ＮＷとの接続異常であるので、異常が解消されているか否かの判断は、例えば、事業者網ＮＷを介して正常に通信データが受信できているかで判断すれば良い。
【００９０】
そして、異常が解消されている場合は、通信端末として機能する場合に使用する端末ＩＤの使用を止め、基地局として機能する場合に使用する基地局ＩＤ（ＣＳＩＤ）に切り替えるなどして、通常の基地局としての運用を開始する（ステップＳ２３）。
【００９１】
一方、ステップＳ２２で異常が解消されていないと判断された場合は、再びステップＳ２１の処理を行うために調査装置２００Ａからの呼出を待つ（ステップＳ２４）。すなわち、故障基地局ＢＳＸの異常が解消されて通常の基地局としての運用が開始されないと、上位装置１００に対して稼働状況レポートが送信されないので、上位装置１００は、故障基地局ＢＳＸの異常が解消されていないことを検知する。その場合、上位装置１００は、調査装置２００Ａに対して障害解析を実行するように再び指示を与える。この場合、調査装置２００Ａを事業者網ＮＷに接続していれば事業者網ＮＷを介して指示が与えられる。
【００９２】
これを受けた調査装置２００Ａは、故障基地局ＢＳＸと通信するために、再発呼を行う。
【００９３】
ステップＳ２４は、隣接基地局ＢＳＮからの再度の着呼を待つステップであり、再び、調査装置２００Ａからの呼出を受けた故障基地局ＢＳＸは、調査装置２００Ａと通信し、所定のコマンドを受け取って障害解析処理（ステップＳ２１）を再び実行する。
【００９４】
次に、図７に示すフローチャートを用いて、障害解析処理についてさらに説明する。調査装置２００Ａからの呼出を受けた故障基地局ＢＳＸは、調査装置２００Ａからコマンドの受信を待つ（ステップＳ３１）。このコマンドは、調査装置２００Ａを操作する解析者が調査装置２００Ａのキーボード等の入力装置から入力する、基地局に自己診断をさせるコマンドや、障害が発生する直前の内部状態を出力させるコマンドである。
【００９５】
これらのコマンドを受信した故障基地局ＢＳＸの中央制御部３は、診断部３１の機能により自己診断を行ったり、メモリに記憶された障害が発生する直前の内部状態を出力するなどしてコマンドを実行する（ステップＳ３２）。
【００９６】
一方、調査装置２００Ａからコマンドの受信を待ってもコマンドを受信できずに所定の時間が経過すると（ステップＳ３４）、故障基地局ＢＳＸは、予め設定したタイマの動作により、障害解析処理を終了する。
【００９７】
障害解析処理を終了すると調査装置２００Ａとの通信が切断され、調査装置２００Ａの無線接続が開放される。
【００９８】
ステップＳ３２でコマンドを実行し、基地局の自己診断結果や障害が発生する直前の内部状態を出力させた後は、調査装置２００Ａを操作する解析者は、その情報に基づいて障害解析を実行し、どのような障害がどこで起きているかを解析する（ステップＳ３３）。なお、コマンド実行は、各コマンドが与えられるごとに実行され、障害解析が終了した場合は、解析終了コマンドを故障基地局ＳＢＸに与えて障害解析処理を終了する。
【００９９】
障害解析の結果、障害の種類および発生場所が特定できた場合、遠隔操作で解消できる場合は遠隔操作を行い、そうでない場合は、発生場所に作業者が赴いて障害の解消を図ることとなる。
【符号の説明】
【０１００】
１００  上位装置
２００，２００Ａ  調査装置
１０００，１０００Ａ、２０００  通信システム
ＢＳＸ  故障基地局
ＢＳＮ  隣接基地局
ＮＷ  事業者網
【図１】
2013048337.tif 000003
【図２】
2013048337.tif 000004
【図３】
2013048337.tif 000005
【図４】
2013048337.tif 000006
【図５】
2013048337.tif 000007
【図６】
2013048337.tif 000008
【図７】
2013048337.tif 000009
【図８】
2013048337.tif 000010
【図９】
2013048337.tif 000011